(57)【特許請求の範囲】
【請求項１】
ＩＴＵ−Ｔ勧告Ｖ．８、Ｖ．２１、Ｖ．２７ｔｅｒ、Ｖ．２９、Ｖ．１７、Ｖ．３４通信可能な通信装置において、
ＥＣＭ送信の禁止を選択する手段と、ＥＣＭ受信の禁止を選択する手段とを有し、
ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置。
【請求項２】
請求項１において、
着信時にＶ．８のＡＮＳａｍ信号を送信し、Ｖ．８のＣＭ信号を検出した場合、Ｖ．８のＣＭ信号に送信が指定されていれば、Ｖ．８のＶ．３４通信可を示すＪＭ信号を送信し、一方、前記Ｖ．８のＣＭ信号にポーリング受信が指定されていればＶ．８のＶ．３４通信不可を示すＪＭ信号を送信することを特徴とする通信装置。
【請求項３】
ＩＴＵ−Ｔ勧告Ｖ．８、Ｖ．２１、Ｖ．２７ｔｅｒ、Ｖ．２９、Ｖ．１７、Ｖ．３４通信可能な通信装置の制御方法において、
ＥＣＭ送信の禁止を選択する工程と、ＥＣＭ受信の禁止を選択する工程とを有し、
ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置の制御方法。
【請求項４】
請求項３において、
着信時にＶ．８のＡＮＳａｍ信号を送信し、Ｖ．８のＣＭ信号を検出した場合、Ｖ．８のＣＭ信号に送信が指定されていれば、Ｖ．８のＶ．３４通信可を示すＪＭ信号を送信し、一方、前記Ｖ．８のＣＭ信号にポーリング受信が指定されていればＶ．８のＶ．３４通信不可を示すＪＭ信号を送信することを特徴とする通信装置の制御方法。
【請求項５】
ＥＣＭ通信を必須とする第１の通信方法と、ＥＣＭ通信を必須としない第２の通信方法とを実行可能な通信装置において、
ＥＣＭ送信の禁止を選択する手段と；
ＥＣＭ受信の禁止を選択する手段と；
ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御手段と；
を有することを特徴とする通信装置。
【請求項６】
請求項５において、
前記第１の通信方法は、前記第２の通信方法よりも高速であることを特徴とする通信装置。
【請求項７】
ＥＣＭ通信が必須である第１の通信方法と、ＥＣＭ通信が必須でない第２の通信方法とを実行可能な通信装置の制御方法において、
ＥＣＭ送信の禁止を選択する工程と；
ＥＣＭ受信の禁止を選択する工程と；
ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御工程と；
を有することを特徴とする通信装置の制御方法。
【請求項８】
請求項７において、
前記第１の通信方法は、前記第２の通信方法よりも高速であることを特徴とする通信装置の制御方法。
【発明の詳細な説明】
【０００１】
【発明の属する技術分野】
本発明は、特にＶ．３４通信可能なファクシミリ装置等の通信装置およびその制御方法に関するものである。
【０００２】
【従来の技術】
従来より、Ｖ．８、Ｖ．３４通信可能なファクシミリ装置において、Ｖ．３４通信はＥＣＭ通信が必須であるため、ＥＣＭ送信の禁止が選択されていると、Ｖ．１７以下の送信を実行し、ＥＣＭ受信の禁止が選択されていると、Ｖ．１７以下の受信を実行していた。
【０００３】
【発明が解決しようとする課題】
しかしながら、上記従来例において、ＥＣＭ送信は禁止が選択されていて、ＥＣＭ受信は禁止が選択されていないで、ポーリング通信を実行する着信があるとＡＮＳａｍ信号を送信し、ＣＭ信号を受信し、ＪＭ信号を送信し、ＣＩ信号を受信後、ラインプロービング信号の送信、ロングトレーニングを送信し、パラメータ交換後、Ｖ．３４の送信はＥＣＭ送信であり、このＥＣＭ送信は禁止されているので通信断となり、ポーリング送信ができないという欠点があった。
【０００４】
そこで本発明は、ＩＴＵ−Ｔ勧告Ｖ．８、Ｖ．１７、Ｖ．３４通信において、ＥＣＭ送信の禁止が選択されていて、ＥＣＭ受信の禁止が選択されていない場合に、ポーリング通信を確実に行うことができる通信装置およびその制御方法を提供することを目的とする。
【０００５】
【課題を解決するための手段】
本発明は、ＩＴＵ−Ｔ勧告Ｖ．８、Ｖ．２１、Ｖ．２７ｔｅｒ、Ｖ．２９、Ｖ．１７、Ｖ．３４通信可能な通信装置において、ＥＣＭ送信の禁止を選択する手段と、ＥＣＭ受信の禁止を選択する手段とを有し、ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置である。
【０００６】
本発明は、ＩＴＵ−Ｔ勧告Ｖ．８、Ｖ．２１、Ｖ．２７ｔｅｒ、Ｖ．２９、Ｖ．１７、Ｖ．３４通信可能な通信装置の制御方法において、ＥＣＭ送信の禁止を選択する工程と、ＥＣＭ受信の禁止を選択する工程とを有し、ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置の制御方法である。
【０００７】
本発明は、ＥＣＭ通信を必須とする第１の通信方法と、ＥＣＭ通信を必須としない第２の通信方法とを実行可能な通信装置において、ＥＣＭ送信の禁止を選択する手段と、ＥＣＭ受信の禁止を選択する手段と、ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御手段とを有することを特徴とする通信装置である。
【０００８】
本発明は、ＥＣＭ通信が必須である第１の通信方法と、ＥＣＭ通信が必須でない第２の通信方法とを実行可能な通信装置の制御方法において、ＥＣＭ送信の禁止を選択する工程と、ＥＣＭ受信の禁止を選択する工程と、ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御工程とを有することを特徴とする通信装置の制御方法である。
【０００９】
請求項１、３記載の発明では、ＥＣＭ送信の禁止が選択されていて、ＥＣＭ受信の禁止が選択されていない場合において、ポーリング通信のための着信が実行された場合、Ｖ．８のプロトコル後、Ｖ．２１のプロトコル、Ｖ．１７、Ｖ．２９、Ｖ．２７ｔｅｒの画伝送でのポーリング送信が可能になる。
【００１０】
請求項５、７記載の発明では、ＥＣＭ送信の禁止が選択されていて、ＥＣＭ受信の禁止が選択されていない場合において、着信がポーリング送信動作のための着信であった場合、ＥＣＭ送信を禁止した通信方法でデータ送信が可能になる。
【００１１】
【発明の実施の形態および実施例】
図１は、本発明の一実施例によるファクシミリ装置の構成を示すブロック図である。
【００１２】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００１３】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００１４】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００１５】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００１６】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００１７】
メモリ回路１８は、読取りデータの生情報、あるいは、符号化した情報を格納したり、また、受信情報、あるいは、復号化した情報等を格納するために使用する。
【００１８】
呼出信号検出回路２２は、呼出信号を検出する回路であり、信号線２ｂの信号を入力し、呼出信号を検出していると信号線２２ａに信号レベル「１」の信号を出力し、呼出信号を検出していないと信号線２２ａに信号レベル「０」の信号を出力する。
【００１９】
操作部２４は、ワンタッチダイヤル、短縮ダイヤル、テンキー、＊・＃キー、ポーリング受信選択ボタン、回路２６、２８への登録キー、その他ファンクションキー等を有し、押下されたキー情報は信号線２４ａに出力される。
【００２０】
登録回路２６は、ＥＣＭ送信禁止を選択するか否かを登録する回路であり、信号線２６ａを介して登録される。
【００２１】
登録回路２８は、ＥＣＭ受信禁止を選択するか否かを登録する回路であり、信号線２８ａを介して登録される。
【００２２】
制御回路２０は、ＩＴＵ−Ｔ勧告Ｖ．８、Ｖ．２１、Ｖ．２７ｔｅｒ、Ｖ．２９、Ｖ．１７、Ｖ．３４通信可能な本実施例のファクシミリ装置全体を制御するものであり、特に本実施例において、前記各登録回路２６、２８への登録状況を判断し、ＥＣＭ送信の禁止が選択されている場合は、Ｖ．３４送信を実行せずに、Ｖ．１７以下の送信を実行し、一方ＥＣＭ受信の禁止が選択されている場合は、Ｖ．３４受信を実行しないでＶ．１７以下の受信を実行するが、ＥＣＭ送信の禁止が選択されていて、ＥＣＭ受信の禁止が選択されていない状態で、着信時はＶ．８プロトコルを実行し、受信動作であればＶ．３４受信を実行し、ポーリング動作であればＶ．１７以下のポーリング送信へ移行し、送信時はＶ．１７以下の送信を実行するよう制御する。
【００２３】
また、着信時の詳細について説明すると、まず、Ｖ．８のＡＮＳａｍ信号を送信し、Ｖ．８のＣＭ信号を検出時Ｖ．８のＣＭ信号に送信が指定されていれば、Ｖ．８のＶ．３４通信可を示すＪＭ信号を送信し、Ｖ．８のＣＪ信号、さらにはＶ．３４のラインプロービング信号の受信へ移行し、Ｖ．８のＣＭ信号にポーリング受信が指定されていれば、Ｖ．８のＶ．３４通信不可を示すＪＭ信号を送信し、Ｖ．８のＣＪ信号を受信後、Ｖ．２１のＶ．３４通信不可を示すＤＩＳ信号を送信し、Ｖ．２１のＤＴＣ信号を受信後、Ｖ．２１の手順を実行し、その後Ｖ．１７、Ｖ．２９、Ｖ．２７ｔｅｒのポーリング送信（ノーマルＧ３モード（ＥＣＭでない））を実行するよう制御する。
【００２４】
図２〜図９は、制御回路２０の制御の流れを示すフローチャートである。
【００２５】
図２において、Ｓ０で操作を開始し、Ｓ２では、信号線２６ａを介して登録回路２６にＥＣＭ送信を禁止しないことを登録する。また、Ｓ４では、信号線２８ａを介して登録回路２８にＥＣＭ受信を禁止しないことを登録する。
【００２６】
Ｓ６では、信号線２０ａに信号レベル「０」の信号を出力し、ＣＭＬをオフする。また、Ｓ８では、信号線２０ｄに信号レベル「０」の信号を出力し、ＡＮＳａｍ信号を送出しない。
【００２７】
そして、Ｓ１０では、信号線２４ａの情報を入力し、登録回路２６への登録が選択されたか否かを判断し、選択されるとＳ１２に進み、信号線２６ａを介して登録回路２６に、例えばＥＣＭ送信禁止と登録し、Ｓ１４に進む。また、選択されていないと、そのままＳ１４に進む。
【００２８】
Ｓ１４では、信号線２４ａの情報を入力し、登録回路２８への登録が選択されているか否かを判断し、選択されているとＳ１６に進み、信号線２８ａを介して登録回路２８に、例えばＥＣＭ受信禁止と登録しないで、Ｓ１８に進む。また、選択されていないと、そのままＳ１８に進む。
【００２９】
Ｓ１８では、信号線２４ａの情報を入力し、発信が選択されたか否かを判断し、発信が選択されるとＳ２４に進み、発信が選択されていないとＳ２０に進む。Ｓ２０では、信号線２２ａの情報を入力し、着信が選択されたか否かを判断し、着信が選択されるとＳ６２に進み、着信が選択されていないとＳ２２に進み、その他の処理をする。
【００３０】
Ｓ２４では、信号線２０ａに信号レベル「１」の信号を出力し、ＣＭＬをオンする。Ｓ２６では、ＡＮＳａｍ信号を受信する。そして、Ｓ２８では、信号線２４ａの情報を入力し、ポーリング受信が選択されているとＳ４６に進み、ポーリング受信が選択されていないとＳ３０に進む。
【００３１】
Ｓ３０では送信を指定したＶ．８のＣＭ信号の送信、Ｓ３２ではＶ．８のＪＭ信号の受信、Ｓ３４ではＶ．８のＣＪ信号の送信、Ｓ３６ではＶ．３４のラインプロービング信号の送信、Ｓ３８ではＶ．３４のロングトレーニング信号の送信、Ｓ４０ではＶ．３４のパラメータ交換、Ｓ４２ではＶ．３４の画信号の送信、Ｓ４４ではＶ．３４の後手順を順次行う。そして、Ｓ６に進む。
【００３２】
また、Ｓ４６では、ポーリング受信を指定したＶ．８のＣＭ信号の送信、Ｓ４８ではＶ．８のＪＭ信号の受信、Ｓ５０ではＶ．８のＣＪ信号の送信、Ｓ５２ではＶ．３４のラインプロービング信号の受信、Ｓ５４ではＶ．３４のロングトレーニング信号の受信、Ｓ５６ではＶ．３４のパラメータ交換、Ｓ５８ではＶ．３４の画信号の受信、Ｓ６０ではＶ．３４の後手順を順次行い、Ｓ６に進む。
【００３３】
また、Ｓ６２では、信号線２０ａに信号レベル「１」の信号を出力し、ＣＭＬをオンする。Ｓ６４ではＡＮＳａｍ信号の送信、Ｓ６６ではＶ．８のＣＭ信号の受信を順次行う。
【００３４】
そして、Ｓ６８では、ＣＭ信号の内容を解析し、送信が指定されているとＳ７０に進み、ポーリング受信が指定されているとＳ８４に進む。
【００３５】
Ｓ７０ではＶ．３４機能ありを宣言したＶ．８のＪＭ信号の送信、Ｓ７２ではＣＪ信号の受信、Ｓ７４ではＶ．３４のラインプロービング信号の受信、Ｓ７６ではＶ．３４のロングトレーニング信号の受信、Ｓ７８ではＶ．３４のパラメータ交換、Ｓ８０ではＶ．３４の画信号の受信、Ｓ８２ではＶ．３４の後手順を順次実行し、Ｓ６に進む。
【００３６】
また、Ｓ８４ではＶ．３４機能なしを宣言したＶ．８のＪＭ信号の送信、Ｓ８６ではＣＪ信号の受信を順次行う。さらに、Ｓ８８では、Ｖ．３４通信不可、原稿ありを宣言したＶ．２１のＮＳＦ／ＣＳＩ／ＤＩＳ信号の送信を行い、Ｓ９０ではＶ．２１のＮＳＣ／ＣＩＧ／ＤＴＣ信号の受信、Ｓ９１ではＶ．２１のＮＳＳ／ＴＳＩ／ＤＣＳ信号の送信、Ｓ９２ではＶ．２７ｔｅｒ、Ｖ．２９、Ｖ．１７のトレーニング・ＴＣＦ信号の送信、Ｓ９４ではＶ．２１のＣＦＲ信号の受信、Ｓ９６ではノーマルＧ３（ＥＣＭでない）によるＶ．２７ｔｅｒ、Ｖ．２９、Ｖ．１７の画信号の送信、Ｓ９８ではＶ．２１の後手順を行い、Ｓ６に進む。
【００３７】
なお、以上のような制御回路の動作は、制御回路内のＣＰＵが制御回路内のＲＯＭやＲＡＭ等に記憶したプログラムに基づいて行うように説明したが、本発明は、このようなプログラムをフロッピディスクやハードディスク、光ディスクやＣＤ−ＲＯＭ、さらにはメモリカード等の外部記憶媒体に格納し、これを専用の読取装置によって制御回路内に取り込み、これを制御回路内のＣＰＵで実行するようにしてもよい。
【００３８】
また、以上の実施例では、ＩＴＵ−Ｔ勧告Ｖ．８、Ｖ．３４に準拠したファクシミリ通信について説明したが、本発明は、このような勧告と同系統の機能を有する通信プロトコルに基づく各種の通信装置に適用し得るものである。
【００３９】
また、以上の実施例では、スタンドアローンタイプのファクシミリ装置を例に説明したが、本発明はこれに限らず、例えばコピー機能や電子ファイル機能、さらにはデータ処理機能を通信機能と複合させた総合的なデータ処理システムにおけるデータ通信制御に適用し得るものである。また、読取回路や記録回路と分離された通信装置においても同様に適用し得るものである。
【００４０】
【発明の効果】
請求項1、３記載の発明によれば、ＥＣＭ送信の禁止が選択されていて、ＥＣＭ受信の禁止が選択されていない場合において、ポーリング通信のための着信が実行された場合、Ｖ．８のプロトコル後、Ｖ．２１のプロトコル、Ｖ．１７、Ｖ．２９、Ｖ．２７ｔｅｒの画伝送でのポーリング送信が可能になり、使い易い装置を提供できる効果がある。
【００４１】
請求項５、７記載の発明によれば、ＥＣＭ送信の禁止が選択されていて、ＥＣＭ受信の禁止が選択されていない場合において、着信がポーリング送信動作のための着信であった場合、ＥＣＭ送信を禁止した通信方法でデータ送信が可能に、この機能を有した通信装置を適正に実現できる効果がある。
【図面の簡単な説明】
【図１】本発明の一実施例を示すブロック図である。
【図２】上記実施例における動作を示すフローチャートである。
【図３】上記実施例における動作を示すフローチャートである。
【図４】上記実施例における動作を示すフローチャートである。
【図５】上記実施例における動作を示すフローチャートである。
【図６】上記実施例における動作を示すフローチャートである。
【図７】上記実施例における動作を示すフローチャートである。
【図８】上記実施例における動作を示すフローチャートである。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…呼出信号検出回路、
２４…操作部、
２６、２８…登録回路。
【図１】
0003599562.tif 000002
【図２】
0003599562.tif 000003
【図３】
0003599562.tif 000004
【図４】
0003599562.tif 000005
【図５】
0003599562.tif 000006
【図６】
0003599562.tif 000007
【図７】
0003599562.tif 000008
【図８】
0003599562.tif 000009